(57)【要約】【課題】  デジタル複写機の故障原因を回避する。【解決手段】  イメージセンサがスキャニング・パスに沿って所定の方向に移動する間，機器の誤動作あるいは電源の遮断により上記イメージセンサが停止された状態で電源を再び印加された場合（Ｓ１００），イメージセンサの停止位置の上部をスキャニングしセンサー上部のイメージ情報を把握するステップ（Ｓ１１０）と，上記イメージ情報に基づきイメージセンサの位置を確認するステップ（Ｓ１２０）と，位置確認の結果，イメージセンサがホーム位置およびホーム位置の左側に配している場合（Ｓ１３０），イメージセンサを右側方向へ所定の距離だけ移動させてから，再びホーム検知用ラベルをスキャニングしホーム位置へ移動するよう制御し（Ｓ１４０），イメージセンサがホーム位置の右側に配している場合（Ｓ１３０），イメージセンサがホーム位置方向へ移動するよう制御する（Ｓ１５０）。【選択図】      図５
2005312046.tif 000002
【特許請求の範囲】
【請求項１】
スキャニング装置のイメージセンサがスキャニング・パスに沿って所定の方向に移動する間，機器の誤動作あるいは電源の遮断により前記イメージセンサが停止した状態で電源が再印加された場合に，
前記イメージセンサの停止位置の上部をスキャニングし前記イメージセンサ上部のイメージ情報を把握するステップと；
前記イメージセンサ上部のイメージ情報に基いてホーム位置に対する前記イメージセンサの位置を判断するステップと；
位置判断の結果，前記イメージセンサがホーム位置およびホーム位置の左側に配している場合，前記イメージセンサを保護壁の右側方向に向って所定の距離だけ移動させてから，再びホーム検知用ラベルをスキャニングしホーム位置に移動するよう制御し，前記イメージセンサがホーム位置の右側に配している場合，前記イメージセンサが前記ホーム位置方向に移動するよう制御するステップと；
を含むことを特徴とするイメージセンサの駆動制御方法。
【請求項２】
前記スキャニング機器が正常に動作する場合，前記ホーム位置は，前記イメージセンサが停止および移動を開始する位置であることを特徴とする請求項１に記載のイメージセンサの駆動制御方法。
【請求項３】
前記所定の距離は２０ｍｍであることを特徴とする請求項１に記載のイメージセンサの駆動制御方法。
【請求項４】
前記イメージセンサは，ＣＩＳ（Ｃｏｎｔａｃｔ  Ｉｍａｇｅ  Ｓｅｎｓｏｒ）又はＣＣＤ（Ｃｈａｒｇｅ−Ｃｏｕｐｌｅｄ  Ｄｅｖｉｃｅ）のいずれか１つであることを特徴とする請求項１に記載のイメージセンサの駆動制御方法。
【請求項５】
前記ホーム検知用ラベルは，
ブラックピクセル部からなる第１の部分と，ブラックピクセル部およびワイトピクセル部からなる第２の部分とを含み，
前記第２の部分の下部が前記イメージセンサのホーム位置であることを特徴とする請求項１に記載のイメージセンサの駆動制御方法。
【請求項６】
電源の遮断や機器の誤動作により停止したイメージセンサに電源が印加された場合，イメージセンサの上部におかれた少なくとも１つのパターンをスキャニングするステップと；
スキャニングした少なくとも１つのパターンに対応するイメージ情報を生成するステップと；
イメージ情報によるイメージセンサのホーム位置に対しイメージセンサの現在位置を決定するステップと；
イメージセンサの現在位置および少なくとも１つのパターンであるイメージ情報の変化に応じてイメージセンサの位置が第１および第２方向のいずれか１つの方向にあるホーム位置に移動するよう制御するステップと；を含むことを特徴とするスキャニング方法。
【請求項７】
前記イメージセンサのスキャニング・パスの縦端に位置し，イメージセンサとスキャニング装置の側面の衝突を防ぐ保護壁を含むスキャニング装置におけるスキャニング方法であって，
前記イメージセンサの制御ステップは少なくとも１つのパターンであるイメージ情報により，イメージセンサの現在位置が保護壁とホーム位置との間の場合，保護壁からホーム位置への第１方向に沿ってイメージセンサを現在位置からホーム位置へ移動させ，
イメージセンサの現在位置が保護壁とホーム位置との間でない場合，現在位置からホーム位置への第２方向に沿ってイメージセンサを現在位置からホーム位置へ移動させることを特徴とする請求項６に記載のスキャニング方法。
【請求項８】
イメージセンサがホーム位置の第１側の間またはホーム位置に配する場合，
前記保護壁はイメージセンサが第２方向へ移動するのを防ぐことを特徴とする請求項７に記載のスキャニング方法。
【請求項９】
前記イメージセンサの制御ステップは，
第２イメージ情報を生成するため少なくとも１つのパターンを再スキャニングし，第２イメージ情報が前記ホーム位置に対応するパターンイメージと同一になるまでイメージセンサを移動させることを特徴とする請求項７に記載のスキャニング方法。
【請求項１０】
前記スキャニング・パスに平行に位置する前記少なくとも１つのパターンは，ホーム位置の第１側に位置するホーム検知用ラベルの第１部分，前記ホーム位置に対応するホーム検知用ラベルの第２部分，及びホーム位置の第２側に位置するホーム検知用ラベルでない部分を含み，
前記少なくとも１つのパターンをスキャニングするステップはホーム検知用ラベルの第１部分，ホーム検知用ラベルの第２部分および検知用ラベルでない部分のいずれか１つをスキャニングすることを特徴とする請求項７に記載のスキャニング方法。
【請求項１１】
ホーム検知用ラベルでない部分のスキャニングは，
ホーム位置の第１側に対向するホーム位置の第２側に置かれた文書，カバー，およびホワイトスポンジをスキャニングすることを特徴とする請求項１０に記載のスキャニング方法。
【請求項１２】
前記ホーム検知用ラベルの第１部分は，
少なくとも１つのブラックピクセル部を含み，
ホーム検知用ラベルのスキャニングは少なくとも１つのブラックピクセル部をスキャニングし，イメージ情報の変化を検出することを特徴とする請求項１０に記載のスキャニング方法。
【請求項１３】
前記ホーム検知用ラベルの第２部分は少なくとも１つのブラックピクセル部および前記ブラックピクセル部の間に位置する少なくとも１つのホワイトピクセル部を含み，
ホーム検知用ラベルのスキャニングは少なくとも１つのブラックピクセル部およびホワイトピクセル部をスキャニングし，イメージ情報の変化を検出することを特徴とする請求項１０に記載のスキャニング方法。
【請求項１４】
前記イメージセンサの制御は，
ホーム検知用ラベルの第２部分に位置するホワイトピクセル部の長さで表現されるイメージ情報の変化に応じてイメージセンサをホーム位置に停止させることを特徴とする請求項１３に記載のスキャニング方法。
【請求項１５】
イメージセンサ上部のイメージ情報を得るためにイメージセンサ上部に位置する少なくとも１つのパターンを有する上部をスキャニングするイメージセンサと；
イメージセンサ上部の一部を形成するホーム検知用ラベルと；
前記イメージセンサのスキャニング・パスの縦断に位置する保護壁と；
前記イメージセンサ上部のイメージ情報に基づき前記イメージセンサの位置を決定し，イメージセンサの現在の位置およびイメージ情報の変化に応じて第１方向および第２方向のいずれか１つの方向へイメージセンサを移動させ，イメージセンサの位置をホーム位置へ移動させる制御部と；を含むことを特徴とするスキャニング装置。
【請求項１６】
前記スキャニング装置は，イメージセンサのスキャニング・パスの縦断に位置し，イメージセンサとスキャニング装置の側面壁との衝突を防ぐ保護壁を含み，
制御部は少なくとも１つのパターンであるイメージ情報に基づきイメージセンサの現在位置が保護壁とホーム位置との間の場合，保護壁からホーム位置への第１方向に沿ってイメージセンサを現在位置からホーム位置へ移動させ，イメージセンサの現在位置が保護壁とホーム位置との間でない場合，現在位置からホーム位置への第２方向に沿ってイメージセンサを現在位置からホーム位置へ移動させることを特徴とする請求項１５に記載のスキャニング装置。
【請求項１７】
前記イメージセンサをホーム位置の第１側またはホーム位置に配する場合，保護壁は第２方向へ前記イメージセンサが移動するのを防ぐことを特徴とする請求項１６に記載のスキャニング装置。
【請求項１８】
前記制御部は，
第２イメージ情報を生成するために少なくとも１つのパターンを再スキャニングし，第２イメージ情報がホーム位置に対応するパターンイメージと同一になるまでイメージセンサを移動させることを特徴とする請求項１６に記載のスキャニング装置。
【請求項１９】
スキャニング・パスに平行に位置する少なくとも１つのパターンは，ホーム位置の第１側に位置するホーム検知用ラベルの第１部分，ホーム位置に対応するホーム検知用ラベルの第２部分，ホーム位置の第２側に位置するホーム検知用ラベルでない部分を含み，
制御部はイメージセンサがホーム検知用ラベルの第１部分，ホーム検知用ラベルの第２部分および検知用ラベルでない部分のいずれか１つをスキャニングするように制御することを特徴とする請求項１６に記載のスキャニング装置。
【請求項２０】
前記ホーム検知用ラベルの第１部分は，
少なくとも１つのブラックピクセル部を含み，
制御部はイメージセンサが少なくとも１つのブラックピクセル部をスキャニングするようにし，イメージ情報の変化を検出するように制御することを特徴とする請求項１９に記載のスキャニング装置。
【請求項２１】
前記ホーム検知用ラベルの第２部分は少なくとも１つのブラックピクセル部および前記ブラックピクセル部の間に位置する少なくとも１つのホワイトピクセル部を含み，
前記制御部はイメージセンサが少なくとも１つのブラックピクセル部およびホワイトピクセル部をスキャニングし，イメージ情報の変化を検出するよう制御することを特徴をする請求項１９に記載のスキャニング装置。
【発明の詳細な説明】
【技術分野】
【０００１】
本発明はデジタル複写機能付き複合器に存するイメージセンサの駆動制御方法に関し特にデジタル複写機の誤動作または電源遮断によりイメージセンサが停止してから，電源が再び印加された時生じ得る製品の故障などを防止するためのイメージセンサの駆動制御方法に関する。
【背景技術】
【０００２】
一般に，複合器はＭＦＰ（Ｍｕｌｔｉ  Ｆｕｎｃｔｉｏｎ  Ｐｅｒｉｐｈｅｒａｌ）と呼ばれ，既存の事務用機器，即ちファクシミリ（Ｆａｃｓｉｍｉｌｅ），スキャナ（Ｓｃａｎｎｅｒ），プリンタ（Ｐｒｉｎｔｅｒ），および複写機（Ｃｏｐｉｅｒ）などそれぞれ単品であった端末器を１つの機器として統合し具現した多機能端末器であって，独自に使用されるかコンピューターに接続されて使用される。
【０００３】
以下，デジタル複写機について詳説する。
【０００４】
図１は一般のデジタル複写機の主な部分の構成を示したブロック図である。同図に示したように，デジタル複写機はスキャニング部７０，カートリッジ３０，表示部６０，入力部２０，格納部５０，出力部４０，および制御部１０を含む。
【０００５】
スキャニング部７０は原稿のイメージをスキャニングし，カートリッジ３０はスキャニング部７０でスキャニングされた原稿のイメージを出力するための用紙を収納する。カートリッジ３０には１種類の用紙も収納できるし，多様な種類の用紙も収納できる。収納される用紙はＡ４，Ａ３，Ｂ５，Ｂ３などである。
【０００６】
表示部６０は，用紙のイメージを表示しスキャニングされた原稿のイメージが用紙のイメージ上に出力される状態を表示する。表示部６０は，原稿のイメージと用紙のイメージを表示するＬＣＤ，およびタッチ方式により所定の命令を入力するための操作パネルを含む。
【０００７】
入力部２０は，原稿に対する設定命令，用紙の種類に対する選択命令，および複写動作開始命令などを入力するための多数の入力ボタンを備えている。設定命令は原稿のイメージに対する位置，サイズ，回転角度を設定する命令である。選択命令は用紙のイメージに対する位置，サイズ，回転角度を設定する命令である。
【０００８】
出力部４０は原稿のイメージを用紙上に出力し，制御部１０は入力部２０を介して入力されたユーザの命令に応じて表示部６０と出力部４０などを制御する。
【０００９】
図２は図１に示されたスキャニング部内の詳細な構造図である。同図に示したように，スキャニング部７０はイメージセンサ７４，平板ガラス７８，およびホーム検知用ラベル７２などを含む。
【００１０】
ユーザにより複写命令が入力されればイメージセンサ−７４が移動をし始める。移動するイメージセンサ７４は平板ガラス７８上にセットされている原稿７６に光信号を走査し，走査された光が原稿７６に反射され印加される信号をイメージ読み取り部（Ｉｍａｇｅ  Ｒｅａｄｉｎｇ  Ｐａｒｔ）７５を介して受信する。イメージセンサ７４はイメージ読み取り部７５で受信した信号に基づき原稿のイメージを抽出する。
【００１１】
さらに，イメージセンサ７４は平板ガラス７８の左側上部に付着している検知用ラベルのイメージを抽出し，イメージセンサ７６の停止および移動開始位置を決める。
【００１２】
このように，デジタル複写機が動作している間に急な機器の誤動作が生じたり電源の遮断が起きれば，イメージセンサ７４は異常な位置に停止する。この際，再び電源を印加するとイメージセンサは約２０ｍｍ程度＋第１の方向へ強制的に移動してから再度正常な位置に戻る。
【００１３】
従って，機器の誤動作あるいは電源の遮断によりイメージセンサ７４がホーム検知用ラベルと反対の端，即ち（ｃ）の位置で停止した場合，イメージセンサ７４はスキャニング部７０内の右側壁と衝突する現象が起こる。これによりイメージセンサ，スキャニング駆動部，およびスキャニング部内の構造物などに衝撃が加わりデジタル複写機の故障の原因となる。
【発明の開示】
【発明が解決しようとする課題】
【００１４】
従って，本発明の目的は電源の印加時イメージセンサが強制的に右側方向へ移動されることを抑え，製品の故障原因を除去しシステムの安定化を具現することのできるイメージセンサの駆動制御方法を提供することにある。
【課題を解決するための手段】
【００１５】
上記目的を達成するために本発明のイメージセンサの駆動制御方法はスキャニング機能を有する機器においてスキャニングが開始されイメージセンサが（走査路：ｓｃａｎｎｉｎｇ  ｐａｔｈ）に沿って所定の方向に移動する間，機器の誤動作あるいは電源の遮断によってイメージセンサが停止した状態で電源を再び印加しイメージセンサを駆動するためのイメージセンサの駆動制御方法でありイメージセンサの停止位置の上部をスキャニングしイメージセンサ上部のイメージ情報を把握するステップと，イメージセンサ上部のイメージ情報に基づきイメージセンサの位置を確認するステップと，位置確認の結果，イメージセンサがホーム位置およびホーム位置の左側に配している場合，イメージセンサを右側方向へ所定の距離だけ移動させてから再びホーム検知用ラベルをスキャニングしホーム位置に移動するよう制御し，イメージセンサがホーム位置の右側に配している場合，イメージセンサが上記ホーム位置方向へ移動するよう制御してもよい。
【００１６】
なお，ホーム位置は，スキャニング機器が正常に動作する場合，イメージセンサが停止および移動を開始する位置でもよい。
【００１７】
なお，所定の距離は，２０ｍｍでもよい。
【００１８】
なお，イメージセンサは，ＣＩＳおよびＣＤＤのいずれか１つでもよい。
【００１９】
なお，ホーム検知用ラベルは，ブラックピクセル部からなる第１の部分と，ブラックピクセル部およびホワイトピクセル部からなる第２の部分とを含み，第２の部分の下部がイメージセンサのホーム位置でもよい。
【発明の効果】
【００２０】
本発明によると，急な機器の誤動作および電源遮断によりイメージセンサが停止してから，再び電源が印加された場合制御部においてイメージセンサの位置を確認した後，これによってイメージセンサの駆動を制御する。
【００２１】
従って，従来のようにイメージセンサが右側方向へと強制的に移動することが防止できるようになって，イメージセンサとスキャニング部内右側壁の衝突現象を防止できることによりデジタル複写機の故障原因から避けられる。
【発明を実施するための最良の形態】
【００２２】
以下に，添付した図面を参照しながら，本発明の好適な実施の形態について詳細に説明する。なお，本明細書及び図面において，実質的に同一の機能構成を有する発明特定事項については，同一の符号を付することにより重複説明を省略する。
【００２３】
図３は本発明の動作を説明するために提供されるスキャニング部内の詳細な構造図である。以下，明細書における記述上の便宜のため図２と共通の構成要素であるホーム検知用ラベル７２，イメージセンサ７４，イメージ読み取り部７５，原稿７６，平板ガラス７８などは同じ図面符号を付与する。
【００２４】
イメージセンサ７４はホーム検知用ラベル７２および原稿７６のイメージを光エネルギーの濃度によって読み取り，これを再び電気的に切り替える。ＣＩＳ（Ｃｏｎｔａｃｔ  Ｉｍａｇｅ  Ｓｅｎｓｏｒ）やＣＣＤ（Ｃｈａｒｇｅ−Ｃｏｕｐｌｅｄ  Ｄｅｖｉｃｅ）などがイメージセンサ７４として使用される。
【００２５】
図３に示したように，従来のものとは異なって，スキャニング部７０内の左側端では保護壁７９が設けられる。該保護壁７９を設置する理由はイメージセンサ７４がスキャニング部７０内の左側端に移動し，スキャニング部７０内の左側壁と衝突することを防止するためである。保護壁７９を除いたスキャニング部７０の他の構成部分は図２と同一であるためその説明は省略する。
【００２６】
図４は図３に示したホーム検知用ラベル７２の平面図である。同図に示したように，ホーム検知用ラベル７２は第１の部分と第２の部分とに大分されている。ホーム検知用ラベル７２の第１の部分は約１２８８個のピクセル（ｐｉｘｅｌ）からなるブラックピクセル７２ａであり，ホーム検知用ラベル７２の第２の部分は約１００個のピクセル（ｐｉｘｅｌ）からなる３つのブラックピクセル部７２ａが存在し，約４９４個のピクセル（ｐｉｘｅｌ）からなる２つのホワイトピクセル部７２ｂが存在する。
【００２７】
なお，ホーム検知用ラベル７２の第２の部分の下部，即ち図３に示したＡ位置は機器の正常動作の際にイメージセンサ７４が停止する本来の位置に該当する。以下，位置Ａを「ホーム（ｈｏｍｅ）位置」と記述する。
【００２８】
また，ホーム検知用ラベル７２の第１の部分は機器の正常動作時イメージセンサ７４が停止する本来の位置に当たる部分でない。イメージセンサ７４がホーム位置Ａを探せなかった場合や機器の誤動作が生じた場合に，ホーム検知用ラベル７２の第１の部分の下部，即ち図３のＢ位置にイメージセンサ７４が停止する。
【００２９】
図５は本発明の動作過程を説明するために提供されるフローチャートである。以下，図１，図３，図４および図５のフローチャートに基づき本発明に係るイメージセンサの駆動制御方法について詳説する。
【００３０】
先ず，正常的な複写が開始されれば，図３に示したイメージセンサ７４はホーム位置Ａで移動をし始めてから，再度ホーム位置Ａで停止する。しかし，複写が開始されてイメージセンサ７４が移動する間に，システムの誤動作や電源の遮断が生ずればイメージセンサ７４はその時点で電源が再度印加されるまで停止する（Ｓ１００）。
【００３１】
それから，再び電源が印加されればイメージセンサ７４はイメージ読み取り部７５を介して現在のイメージセンサ７４が停止した位置の上部をスキャニングする（Ｓ１１０）。
【００３２】
例えば，図３において，イメージセンサ７４の停止位置がＡである場合，上部をスキャニングするとホーム検知用ラベル７２の第２の部分がスキャニングされる。イメージセンサ７４の停止位置がＢである場合，上部をスキャニングするとホーム検知用ラベル７２の第１の部分をスキャニングする。ホーム検知用ラベル７２の第１の部分は機器の正常動作時イメージセンサ７４が停止する本来の位置に当該する部分ではなく，ブラックピクセル部７２ａのみでなしている。第１の部分と第２の部分は各々Ｂ部分とＡ部分でイメージセンサを対応するように位置する。
【００３３】
イメージセンサ７４がホーム位置Ａを探せなかった場合や機器の誤動作が生じた場合，ホーム検知用ラベル７２の第１の部分の下部，即ち図３のＢ位置にイメージセンサ７４が停止し得る。イメージセンサ７４がＣ位置やＤ位置において停止した状態で上部をスキャニングすると原稿や蓋体（図示せず）内部に付着したホワイトスポンジのようなホーム検知用ラベルでない部分がスキャニングされ得る。
【００３４】
かかる方式により，イメージセンサ７４によりスキャニングされたセンサー７４上部のイメージ情報は図１に示された制御部１０へ入力される。イメージ情報は各々Ａ，Ｂ，ＣおよびＤ位置に対応するように位置する第１の部分と第２の部分および原稿またはホワイトスポンジの中で少なくとも１つのスキャニングしたイメージを含める。
【００３５】
制御部１０はイメージセンサ７４から入力されたイメージセンサ７４上部のイメージ情報に基づき，現イメージセンサ７４の停止位置がホーム検知用ラベル７２の第２の部分，即ち図３のホーム位置Ａを基準としていずれの方向に位置するかを確認する（Ｓ１２０）。なお，イメージセンサ７４のホーム位置Ａとはデジタル複写機が正常に動作する時イメージセンサ７４が停止する開始位置のことを指す。
【００３６】
制御部１０はイメージセンサ７４の位置が所定の位置，例えばホーム位置Ａおよびホーム位置Ａの左側に位置するかを確認する（Ｓ１３０）。
【００３７】
１）イメージセンサ７４の停止位置がイメージセンサ７４のホーム位置Ａおよびホーム位置Ａの近くにある場合，制御部１０は，ブラックピクセル部７２ａ，７２ｃホワイトピクセル部７２ｂにより現イメージセンサ７４の位置を基準として左側には空間が不足しており，右側には空間が余っていることが認識できる。
【００３８】
従って，制御部１０はイメージセンサ７４を右側方向に駆動させるための制御信号をイメージセンサ７４に印加し，これによって，イメージセンサ７４が原稿７６の位置する右側方向へ所定の距離だけ移動してから再びホーム検知用ラベル７２をスキャニングしホーム位置Ａに移動される（Ｓ１４０）。このように，イメージセンサ７４が右側方向に所定の距離だけ移動する理由は，正確なホーム位置Ａを探すためである。ここで，所定の距離は約２０ｍｍである。
【００３９】
２）イメージセンサ７４の停止位置がイメージセンサ７４のホーム位置Ａの左側に存在する場合，即ち図３に示したＢに位置する場合にイメージセンサ７４は前述と同一な方式で駆動される。この場合，イメージセンサ７４は保護壁７９と接触したり，保護壁と極めて近接に位置する。
【００４０】
即ち，制御部１０はホーム検知用ラベル７２の存在により現イメージセンサ７４の位置を基準として左側には空間が不足し，右側には空間が余っていることを認識する。
【００４１】
従って，制御部１０は保護壁７９から原稿７６が位置している右側方向にイメージセンサ７４を所定の距離だけ移動してから再び検知用ラベル７２をスキャニングするように制御を行う。制御部１０の制御に応じて，イメージセンサ７４は右側方向に所定の距離だけ移動してから，再びホーム検知用ラベル７２をスキャニングすることによって正確なホーム位置Ａに移動する（Ｓ１４０）。なお，所定の距離は約２０ｍｍである。
【００４２】
次に，イメージセンサ７４がホーム位置Ａおよびホーム位置Ａの左側方向に位置していない場合，即ちイメージセンサ７４がホーム位置Ａの右側方向に位置する場合について詳説する。
【００４３】
３）イメージセンサ７４の停止位置がホーム検知用ラベル７２の右側方向に位置している場合，即ち図３のＣおよびＤに位置している場合，イメージ情報がホーム検知用ラベルでない原稿またはホワイトスポンジに対応する上部を表現するため制御部１０は現イメージセンサ７４の位置がホーム位置Ａを基準として右側にあることが認識できる。これによって制御部１０はイメージセンサ７４をホーム位置Ａ方向に移動するよう制御を行う（Ｓ１５０）。
【００４４】
イメージセンサ７４がホーム位置Ａに向って移動する間，ホーム検知用ラベル７２をスキャニングすると制御部１０は現イメージセンサ７４の位置を基準として左側には空間が不足しており右側には空間が余るというイメージ情報の特性を認識するようになる。即ち，イメージセンサがホーム検知用ラベルをスキャニングするためにホーム位置に向かう時，スキャニングしたイメージの所定の部分が狭くなったり広くなったりする。その後，イメージセンサ７４は前述１）の場合と同一な動作を行い正確なホーム位置Ａへの移動を行う。
【００４５】
特にイメージセンサ７４がＤ位置で停止してから再び電源が印加されれば，従来にはイメージセンサ７４が強制的に右側方向へ移動し図２に示したスキャニング部７０内の右側壁と衝突する問題が生じたが，本発明によると前述した問題点が解決される。
【００４６】
以上，添付図面を参照しながら本発明の好適な実施形態について説明したが，本発明はかかる例に限定されない。当業者であれば，特許請求の範囲に記載された技術的思想の範疇内において，各種の変更例または修正例に想到し得ることは明らかであり，それらについても当然に本発明の技術的範囲に属するものと了解される。
【図面の簡単な説明】
【００４７】
【図１】デジタル複写機の説明図である。
【図２】図１に示したスキャニング部内の説明図である。
【図３】本発明の動作説明に提供されるスキャニング部内の説明図である。
【図４】図３に示したホーム検知用ラベルの平面図である。
【図５】本発明の動作過程を説明するために提供されるフローチャートである。
【符号の説明】
【００４８】
１０      制御部                  
２０      入力部
３０      カートリッジ            
４０      出力部
５０      格納部                  
６０      表示部
７０      スキャニング部          
７２      ホーム検知用ラベル
７２ａ      ブラックピクセル部      
７２ｂ      ホワイトピクセル部
７４      イメージセンサ      
７５      イメージ読み取り部
７６      原稿                    
７８      平板ガラス
７９      保護壁
【図１】
2005312046.tif 000003
【図２】
2005312046.tif 000004
【図３】
2005312046.tif 000005
【図４】
2005312046.tif 000006
【図５】
2005312046.tif 000007